(57)【要約】【課題】ＩＣカードを利用した認証時に，操作者による操作時の入力と合わせて認証する場合に，ＩＣカードリーダ以外の装置を必要としない安価な認証方式を提供する。【解決手段】ＩＣカードリーダに，カードをかざすタイミングを明示する手段を設け，利用者にその明示されたタイミングに従った入力を求め，かざされたＩＣカードが規定のタイミングでかざされたか否かを判定する手段を設け，この判定結果と合わせて操作者個人の認証をする。【選択図】図１
2006221481.tif 000002
【特許請求の範囲】
【請求項１】
ＩＣカードリーダと認証時に操作者が操作する認証データ入力手段とＩＣカードのデータと該認証データ入力手段からのデータに基づき認証を行う手段を備えた認証システムにおいて，該認証データ入力手段はＩＣカードリーダに設けた入力タイミング明示手段の明示タイミングに同期してＩＣカードの有無を検知することを特徴とする個人認証方式。
【請求項２】
請求項１の入力タイミング明示手段は発音手段により構成されていることを特徴とする請求項１記載の個人認証方式。
【請求項３】
請求項１の入力タイミング明示手段は発光手段により構成されていることを特徴とする請求項１記載の個人認証方式。
【発明の詳細な説明】
【技術分野】
【０００１】
本発明はＩＣカードを利用した個人認証方式に関するものである。
【背景技術】
【０００２】
ＩＣカードを利用した個人の認証において，より厳密な認証を行うために，単にＩＣカードそのものから読み取れるデータに基づく認証だけではなく，認証時にその個人が入力するデータと合わせて認証を行う方式が知られている。これを図２で説明する。図２は従来の認証の構成図である。図２において１０１はＩＣカード，１０２はＩＣカードリーダ，１０３は認証装置で，本例ではパーソナルコンピュータ１０３ａ，および認証データ格納装置１０３bで構成する。１０４は１０キー装置である。
【０００３】
次に，利用者が認証を行う場合の動作を説明する。利用者は所有するＩＣカード１０１をＩＣカードリーダ１０２にかざす。さらに１０キー装置１０４から，あらかじめ決められた番号を入力する。１０２および１０４は読み取ったデータを認証装置１０３へ送る。認証装置１０３は利用者に対応した認証データを認証データ格納装置１０３ｂから読み出し照合する。この照合結果が正しければ認証できたものとする。
このようにＩＣカードに加えて利用者による操作にて入力されたデータも認証手段とする方法については特開２０００−１４５２１９号公報が知られている。
【特許文献１】特開２０００−１４５２１９号公報
【発明の開示】
【発明が解決しようとする課題】
【０００４】
このような認証方式は，ＩＣカードのみでの認証に比較して認証がより確実に行われる反面，１０キー装置という認証時に操作データを入力するための装置がＩＣカードリーダ以外に必要となり，適用するシステムの価格が高価になってしまうという問題がある。そこで本発明の課題は，ＩＣカードリーダのみを用いて認証時入力データを入力する方式を提供することである。
【課題を解決するための手段】
【０００５】
本発明は，認証精度を高める手段として，ＩＣカードをかざすタイミングを利用するものである。ＩＣカードリーダに，カードをかざすタイミングを明示する手段を設け，利用者にその明示されたタイミングに従った入力を求め，かざされたＩＣカードが規定のタイミングでかざされたか否かを判定する手段を設け，この判定結果と合わせて操作者個人の認証をするものである。
【発明の効果】
【０００６】
本発明によれば，ＩＣカードリーダ以外の入力装置を増やすことなく，精度の良い個人認証を実現できる。
【実施例１】
【０００７】
本発明の第一の実施例を図１で説明する。図１は本発明の第一の実施例の構成を示す図である。また図２と同一部分には同一番号を付してある。図１において３０１は本発明に係るＩＣカードリーダで，発音装置３０１ａを備えている。
【０００８】
次に動作を説明する。操作者が認証を行う場合，最初にＩＣカード１０１をＩＣカードリーダ３０１にかざす。このときＩＣカードそのものから読み取ったデータをＩＣカードリーダ３０１は認証装置１０３へ送る。次に操作者は発音装置３０１ａの発する音に合わせてＩＣカードをＩＣカードリーダ３０１にかざす。このとき発音装置３０１ａからは本例では０．５秒ごとにピッ，ピッと音を発しており，この音に合わせて操作者はＩＣカード１０１をかざす。例えば操作者があらかじめ１００１という認証用操作パターンを知っている場合，最初の１ではピッという音に合わせてＩＣカード１０１をかざし，次の０ではピッという音の時にかざさない，という動作を繰り返す。
【０００９】
この結果４回のピッという音に対し，かざす，かざさない，かざさない，かざす，という操作を行う。このときＩＣカードリーダ３０１は，かざす，かざさない，かざさない，かざす，に対応して１００１というデータを認証装置１０３へ送る。認証装置１０３の内部では認証手段３０２が，最初にＩＣカードリーダ３０１から送られてきたＩＣカードそのものから読み取ったデータと，ピッという音に合わせた操作から作成された１００１というデータの２つを用いて認証データ格納装置１０３ｂのデータと照合する。これによりＩＣカードそのものから読み取ったデータとその後の操作者の操作によるデータの２つで認証を行うことができる。
【００１０】
この一連の動作におけるＩＣカードリーダ３０１の動作を図３を用いて説明する。図３はＩＣカードリーダ３０１の動作を説明するフローチャートである。２０１は初期状態で，ＩＣカードがかざされるのを待っている。ＩＣカードがかざされると読み取ったデータを２０２で認証装置１０３へ送信する。さらにＩＣカードが離されるのを２０３で待ち，２０４へ進む。２０４では導入音としてピッを鳴らし，さらに０．５秒間待つ，という処理をあらかじめ決めてある回数分繰り返す。本例では導入音を４回と規定し，操作者はピッと４回なる音に続けて規定回数，かざす，あるいはかざさない，という動作を行う。２０５はその規定分の繰り返しをカウントするためのカウンタｎを１と初期化する。
【００１１】
次に２０６でピッと発音し，続けて２０７で発音の時点でＩＣカードがかざされているか否かを判断する。かざされていない場合は２０８でｎ番目のデータは０と記憶する。かざされていた場合は２０９で最初に２０１の時点でかざされたＩＣカードと同一のものか否かを判断する。異なっていた場合は正常な認証手順ではない，と判断し，以降の認証処理を中止し，２１５でそのＩＣカードが離されるのを待って，２０１へ戻る。
【００１２】
２０９で同一ＩＣカードと判断した場合は２１０にてｎ番目のデータは１と記憶する。２０８または２１０でｎ番目のデータを記憶した後は２１１で規定回数繰り返したかを判断する。未達の場合には２１２にてカウンタｎに１を加え，２１３にて規定時間待つ。本例では０．５秒である。その後２０６へ戻る。２１１で規定回数に達したと判断した場合には１番目からｎ番目までのデータを１つのデータとして２１４で認証装置１０３へ送信する。さらに２１５でＩＣカードが離されるのを待って，２０１へ戻る。
【００１３】
以上の処理により，操作者のかざす，かざさない，という操作を認証データとして用いることができることになり，１０キー装置を設けなくてもＩＣカードそのものの情報に加えて操作者の操作によるデータで認証することができるようになる。
【実施例２】
【００１４】
次に本発明の第二の実施例を図４で説明する。図４は本発明の第二の実施例を示す構成図で，図１，図２と同一部分には同一番号を付してある。図４において３１１は本発明に係るＩＣカードリーダで，本実施例では実施例１の発音装置３０１ａに代えて発光装置３１１ａを備えている。その動作を図５にて説明する。図５はＩＣカードリーダ３１１の動作を説明するフローチャートである。図３と同一部分には同一番号を付してある。２０１から２０３の処理は実施例１と同一である。
【００１５】
本実施例では２２４にて導入光として発光装置３１１ａを短時間だけ発光し，さらに０．５秒間待つ，という処理をあらかじめ決めてある回数分繰り返す。本例では導入光を４回と規定し，操作者は４回発光する光に続けて規定回数，かざす，あるいはかざさない，という動作を行う。また２２６では短時間だけ発光させることになる。その他の処理は実施例１と同様である。本実施例の場合にも操作者のかざす，かざさない，という操作を認証データとして用いることができることになり，１０キー装置を設けなくてもＩＣカードそのものの情報に加えて操作者の操作によるデータで認証することができるようになる。また操作のタイミングが音ではなく光で明示されるため，聴覚に障害のある操作者でも操作できるという特徴がある。
【００１６】
以上の実施例ではＩＣカードをかざすタイミングを明示する手段として音，あるいは光を単独で用いたが，併用しても同様の効果が得られる。また音，光以外にも例えばバイブレータのような振動を利用することも可能である。要はＩＣカードリーダがＩＣカードを検知するタイミングを操作者へ伝える手段があれば同様の効果が得られるのである。
【図面の簡単な説明】
【００１７】
【図１】本発明の実施例における構成図。
【図２】従来方式の構成図。
【図３】ＩＣカードリーダ３０１の動作を示すフローチャート。
【図４】本発明の第二の実施例における構成図。
【図５】ＩＣカードリーダ３１１の動作を示すフローチャート。
【符号の説明】
【００１８】
１０１…ＩＣカード
１０２…ＩＣカードリーダ
１０３…認証装置
１０３ａ…パーソナルコンピュータ
１０３ｂ…認証データ格納装置
１０４…１０キー装置
３０１…本発明に係るＩＣカードリーダ
３０１ａ…発音装置
３１１…本発明に係るＩＣカードリーダ
３１１ａ…発光装置
【図１】
2006221481.tif 000003
【図２】
2006221481.tif 000004
【図３】
2006221481.tif 000005
【図４】
2006221481.tif 000006
【図５】
2006221481.tif 000007